(57)【特許請求の範囲】
【請求項１】
かみそり本体（１）の上部に、横軸まわりに回転駆動される内刃（３）と、内刃（３）の上周面に外接する外刃（６）とが設けられ、かみそり本体（１）の外面に内刃（３）用の清掃具が設けてあるロータリ式電気かみそりであって、
清掃具は、ロール状のブラシ（２０）と、ブラシ（２０）を回転自在に軸支し、かつ清掃位置と待機位置とに変位操作するブラシ支持具（２１）とを含み、
ブラシ支持具（２１）は、ブラシ（２０）が内刃（３）の周面に沿ってほぼ平行に接触する清掃位置と、かみそり本体（１）の外面に待機格納される待機位置とに変位できるよう、かみそり本体（１）に姿勢切換可能に支持されているロータリ式電気かみそり。
【請求項２】
かみそり本体（１）の外面に内刃（３）の回転中心軸と平行な支軸（２４）が設けられており、
ブラシ支持具（２１）の一端が支軸（２４）で上下に反転揺動自在に支持されており、
ブラシ支持具（２１）の他端にブラシ（２０）が内刃（３）の回転中心軸と平行に支持されている請求項１記載のロータリ式電気かみそり。
【請求項３】
清掃具が、清掃位置において内刃（３）およびブラシ（２０）の外面を覆って、毛屑等の飛散を防ぐカバー（２２）を含んでおり、
カバー（２２）は、ブラシ支持具（２１）でブラシ（２０）の回りに変位可能に支持されており、
待機位置において、ブラシ（２０）およびブラシ支持具（２１）の外面がカバー（２２）で覆われている請求項１又は２記載のロータリ式電気かみそり。
【請求項４】
かみそり本体（１）と係合してブラシ支持具（２１）を清掃位置に位置保持するロック具（２３）を有し、ロック具（２３）が相対係合する第１係合具（３０）と第２係合具（３１）とで構成されており、
両係合具（３０・３１）の一方がかみそり本体（１）に、他方が清掃具に設けてある請求項１、２又は３記載のロータリ式電気かみそり。
【請求項５】
外刃ホルダー（２）をかみそり本体（１）から取り外した状態では、モータ（７）の駆動操作を不能とし、外刃ホルダー（２）をかみそり本体（１）に適正に装着した状態では、モータ（７）の駆動操作を許すように構成された、安全確保手段（３６）がかみそり本体（１）に設けられており、
清掃具の一部に、清掃位置において安全確保手段（３６）をモータ（７）の駆動操作を許す側に保持する切換具（３８）が設けてある請求項１、２、３又は４記載のロータリ式電気かみそり。
【請求項６】
かみそり本体（１）の外面に、ブラシ支持具（２１）を兼ねる保持ケース（４６）が上下スライド自在に案内支持されており、
保持ケース（４６）の上部内面に配置したブラシ（２０）が、保持ケース（４６）で回転自在に軸支されており、
保持ケース（４６）は、ブラシ（２０）が内刃（３）の周面に外接する上方の清掃位置と、かみそり本体（１）の外面に待機格納される下方の待機位置とに姿勢切り換え可能に、かみそり本体（１）で支持してある請求項１又は５記載のロータリ式電気かみそり。
【請求項７】
かみそり本体（１）の外面に、保持ケース（４６）が上下スライド自在に案内支持されており、
保持ケース（４６）の上部内面に配置したブラシ支持具（２１）が、支軸（２４）の回りに揺動自在に支持されて、ばね（４８）で揺動付勢されており、
ブラシ支持具（２１）とかみそり本体（１）との間に、ばね（４８）の付勢力に抗して、ブラシ支持具（２１）を待機位置と清掃位置に切り換え操作するカム片（４９）と、カム片（４９）で変位案内される受動体（５１）とが設けられており、
保持ケース（４６）の上方スライドに連動して、ブラシ支持具（２１）が清掃位置へ揺動変位できるよう、カム片（４９）と受動体（５１）とが配置してある請求項１又は５記載のロータリ式電気かみそり。
【請求項８】
待機格納したカバー（２２）の上部が、外刃ホルダー（２）の上面一側に設けた毛導入溝（１３）の近傍に臨んでおり、
カバー（２２）の周面上部に皮膚伸ばし用の突起（３４）の一群が設けてある請求項３、４又は５記載のロータリ式電気かみそり。
【発明の詳細な説明】
【０００１】
【発明の属する技術分野】
本発明は、内刃クリーニング用の清掃具を備えているロータリ式電気かみそりに関する。
【０００２】
【従来の技術】
内刃清掃用ブラシを常装している電気かみそりは、実公昭５９−４０９３９号公報および特開昭５８−７５５８３号公報にみることができる。いずれもレシプロ式の内刃を備えた電気かみそりであって、かみそりヘッドの内部にブラシを備えている。ロータリ式の電気かみそりにおいて、同様のブラシを設けることは、実開昭５６−１０６１７１号公報、実開昭５４−７６８９４号公報、実開昭４８−６５４９１号公報等に公知である。そこでは、かみそりヘッドの内部に配置したブラシの毛先を内刃に接触させ、内刃の回転動作を利用して清掃を行っている。上記以外に、外刃ホルダーと換装されるキャップ状のホルダーの内面に、内刃清掃用のブラシ毛を植設した専用清掃具が、実開昭５８−１７４０６８号公報に公知である。
【０００３】
【発明が解決しようとする課題】
かみそりヘッドの内部に配置したブラシで内刃を回転駆動しながら清掃を行うクリーニング形態では、ブラシ毛が内刃に対して常に接触しているので、ひげそり時に切断された毛屑が、ブラシで跳ね飛ばされて外刃の刃孔から外部へ飛散する。また、ブラシの毛先が回転する内刃で削られて、消耗しやすいうえ、消耗したブラシの交換に多くの手間が掛かる。内刃と接触するブラシ毛が内刃の回転抵抗を増すので、その分だけモータ動力が無駄に消費される不利もある。
【０００４】
外刃ホルダーに代えてかみそりヘッドに装着した清掃具でクリーニングを行う場合には、必要時にのみブラシを内刃に接触させるので、上記の問題点を一掃でき、ブラシの交換も容易に行える。しかし、この種の清掃具は常態においてかみそり本体から取り外して保管しておく必要があり、その使用頻度が低いこともあって、保管場所を忘れたり、誤って廃棄してしまうなど紛失しやすい点に難がある。
【０００５】
本発明の目的は、内刃用の清掃具を常装していて、通常のかみそり使用時には清掃具がかみそり本体の外面に待機格納され、必要時に限ってそのブラシを内刃に接触させてクリーニングが行えるロータリ式電気かみそりを提供することにある。
本発明の目的は、内刃の清掃を行う場合にのみブラシを内刃に接触でき、従って通常のかみそり使用時に、切断された毛屑が外刃の外面へ飛散したり、ブラシの毛先が内刃で損耗され、あるいはブラシが内刃の回転抵抗になるのを一掃できるロータリ式電気かみそりを提供することにある。
【０００６】
本発明の目的は、内刃の回転力を利用してブラシを回転駆動することにより、内刃の刃面に付着した毛屑や皮脂を効果的に除去できるうえ、内刃清掃時に、ブラシで掻き落とされた毛屑等が周辺部に飛び散るのを防止でき、しかも飛散防止用のカバーを利用して、不使用時のブラシを保護できるロータリ式電気かみそりを提供することにある。
本発明の目的は、飛散防止用のカバーに皮膚伸ばし用の突起が設けてあって、長毛やくせ毛をそり残すことなく確実に切断できるロータリ式電気かみそりを提供することにある。
【０００７】
【課題を解決するための手段】
本発明の電気かみそりは、かみそり本体１の上部に、横軸まわりに回転駆動される内刃３と、内刃３の上周面に外接する外刃６とが設けられ、かみそり本体１の外面に内刃３用の清掃具が設けてある。清掃具は、ロール状のブラシ２０と、ブラシ２０を回転自在に軸支し、かつ清掃位置と待機位置とに変位操作するブラシ支持具２１とを含む。ブラシ支持具２１は、ブラシ２０が内刃３の周面に沿ってほぼ平行に接触する清掃位置と、かみそり本体１の外面に待機格納される待機位置とに変位できるよう、かみそり本体１に姿勢切換可能に支持する。
【０００８】
具体的には、かみそり本体１の外面に内刃３の回転中心軸と平行な支軸２４を設け、ブラシ支持具２１の一端を支軸２４で上下に反転揺動自在に支持する。ブラシ支持具２１の他端にはブラシ２０を内刃３の回転中心軸と平行に支持する。
【０００９】
清掃具は、清掃位置において内刃３およびブラシ２０の外面を覆って、毛屑等の飛散を防ぐカバー２２を含んでいる。カバー２２は、ブラシ支持具２１でブラシ２０の回りに変位可能に支持して、待機位置において、ブラシ２０およびブラシ支持具２１の外面をカバー２２で覆うようにする。
【００１０】
かみそり本体１と係合してブラシ支持具２１を清掃位置に位置保持するロック具２３を有する。ロック具２３は相対係合する第１係合具３０と第２係合具３１とで構成する。両係合具３０・３１の一方はかみそり本体１に、他方は清掃具に設ける。
【００１１】
外刃ホルダー２をかみそり本体１から取り外した状態では、モータ７の駆動操作を不能とし、外刃ホルダー２をかみそり本体１に適正に装着した状態では、モータ７の駆動操作を許すように構成された、安全確保手段３６をかみそり本体１に設ける。清掃具の一部に、清掃位置において安全確保手段３６をモータ７の駆動操作を許す側に保持する切換具３８を設ける。
【００１２】
かみそり本体１の外面に、ブラシ支持具２１を兼ねる保持ケース４６を上下スライド自在に案内支持する。保持ケース４６の上部内面に配置したブラシ２０を、保持ケース４６で回転自在に軸支する。保持ケース４６は、ブラシ２０が内刃３の周面に外接する上方の清掃位置と、かみそり本体１の外面に待機格納される下方の待機位置とに姿勢切り換え可能に、かみそり本体１で支持する。
【００１３】
かみそり本体１の外面に、保持ケース４６を上下スライド自在に案内支持する。保持ケース４６の上部内面に配置したブラシ支持具２１は、支軸２４の回りに揺動自在に支持して、ばね４８で揺動付勢する。ブラシ支持具２１とかみそり本体１との間に、ばね４８の付勢力に抗して、ブラシ支持具２１を待機位置と清掃位置に切り換え操作するカム片４９と、カム片４９で変位案内される受動体５１とを設ける。以て、保持ケース４６の上方スライドに連動して、ブラシ支持具２１が清掃位置へ揺動変位できるよう、カム片４９と受動体５１とを配置する。
【００１４】
待機格納したカバー２２の上部を、外刃ホルダー２の上面一側に設けた毛導入溝１３の近傍に臨ませて、カバー２２の周面上部に皮膚伸ばし用の突起３４の一群を設ける。
【００１５】
【作用および発明の効果】
ブラシ２０をブラシ支持具２１で回転自在に軸支したうえで、ブラシ支持具２１の姿勢を切り換えることにより、ブラシ２０をこれが内刃３に接触する清掃位置と、かみそり本体１の外面に待機格納される待機位置とに変位操作するので、内刃３の清掃が必要な状態に限ってブラシ２０を内刃３に接触できる。ブラシ２０の内刃３に対する接触量を適正化できるので、内刃３の回転力でブラシ２０を回転させて、内刃３に付着した毛屑や皮脂を効果的に除去できる。
【００１６】
通常の使用時には、ブラシ支持具２１の姿勢を切り換えることにより、ブラシ２０をかみそり本体１の外面に格納し待機保持できる。従って、清掃用ブラシをかみそりヘッドの内部に常装することに基づく、毛屑の飛散や、ブラシ毛の損耗、あるいは内刃に余分な回転抵抗が作用する等の問題点を一掃できる。必要時には、ブラシ支持具２１の姿勢を切り換えるだけで、内刃３の清掃を手軽に行える。待機格納したブラシ２０は、内刃３から十分に離れた位置に保持されるので、ひげそり時にブラシ２０が邪魔にならない。
【００１７】
内刃３の回転中心軸と平行な支軸２４でブラシ支持具２１を上下に反転揺動自在に支持し、ブラシ支持具２１の他端に設けたブラシ２０を先の回転中心軸と平行に支持していると、ブラシ支持具２１を上下揺動するだけの簡単な操作でブラシ２０が清掃位置と待機位置とに変位し、清掃位置におけるブラシ２０を内刃３の周面に常に均等に接触させることができる。ブラシ支持具２１が反転揺動する分だけ、ブラシ２０の待機位置を清掃位置から十分に遠ざけて、通常のかみそり使用時にブラシ２０が邪魔になるのを確実に防止できる。
【００１８】
清掃位置において、内刃３およびブラシ２０の外面がカバー２２で覆われているので、内刃３と連れ回り回転するブラシ２０によって跳ね飛ばされた毛屑等をカバー２２で受け止めて、内刃清掃時の毛屑の飛散を効果的に阻止できる。さらに、待機格納したブラシ２０およびブラシ支持具２１の外面をカバー２２で覆って、不使用時のブラシ２０を保護できる。待機位置においては、カバー２２をブラシ２０およびブラシ支持具２１と共に、できるだけかみそり本体１に沿わせてコンパクトに格納する必要がある。また、清掃位置においては、カバー２２の覆域をできるだけ大きくし、ブラシ２０および内刃３の外面を効果的に覆う必要がある。こうした使い勝手の良さを実現するために、カバー２２をブラシ支持具２１でブラシ２０の回りに変位可能に支持して、各姿勢切り換え位置においてカバー２２の姿勢を変更できるようにしている。
【００１９】
清掃位置においては、例えばブラシ支持具２１とかみそり本体１との間に設けたロック具２３によって、ブラシ支持具２１を清掃位置に位置保持できるので、ブラシ２０が内刃３に接触する状態を安定して維持できる。相対係合する第１、第２の両係合具３０・３１で構成したロック具２３によれば、ブラシ支持具２１の姿勢を切り換えた後、両係合具３０・３１を圧嵌係合するだけで、ブラシ支持具２１を清掃位置に位置保持できる。清掃具の側では、例えばブラシ支持具２１やカバー２２に一方の係合具３１を設けることができ、かみそり本体１の側では、例えば内刃支持枠５に他方の係合具３０を設けることができる。
【００２０】
外刃ホルダー２をかみそり本体１から取り外すと、安全確保手段（安全スイッチ）３６が作動して、モータ７への給電路を遮断する電気かみそりがある。こうした電気かみそりにおいては、安全確保手段３６をオン状態に復帰させて、内刃清掃時に内刃３を回転駆動できるようにするために、例えばカバー２２に切換具３８を設けてある。切換具３８は、カバー２２が清掃位置へ変位した状態においてのみ、安全確保手段３６を切り換え操作できる。つまり、内刃３の外面をカバー２２で覆わない限りはモータ７を起動できない。従って、内刃３のクリーニング時にも、内刃３が露出した状態のままで回転駆動されるのを防止できる。
【００２１】
待機格納したカバー２２を毛導入溝１３の近傍に位置させ、その周面上部に皮膚伸ばし用の突起３４を設けると、外刃６と接触する皮膚部を突起３４で先導しながら引き伸ばすことができるので、長毛やくせ毛を整然と外刃６に導入して、これらを確実に切断できる。
【００２２】
【実施例】
図１ないし図７は本発明に係るロータリ式電気かみそりの実施例を示す。図２ないし図４において電気かみそりは、かみそり本体１と、その上部に着脱自在に装着した外刃ホルダー２と、かみそり本体１の背面上部に配置した内刃３用の清掃具などを備えている。かみそり本体１の上部には、一対の支持腕４・４を備えた内刃支持枠５が設けてあり、一対の支持腕４・４の上端間に、横軸まわりに回転する内刃３が軸支してある。内刃３を駆動するために、かみそり本体１の内部にモータ７と二次電池８とを設けてあり、モータ７の動力はギヤ伝動機構９を介して内刃３に伝わる。図２中、符号１１はモータ起動用のスイッチノブ、１２は充電用のコネクタプラグである。
【００２３】
外刃ホルダー２は上下面が開口する中空枠状に形成してあり、その内面上部に外刃６が装着してある。外刃ホルダー２を内刃支持枠５に上方から外嵌装着することにより、外刃６が内刃３の上周面に外接する。外刃ホルダー２の後側の上部開口縁には、毛導入溝１３の一群が形成してある（図４参照）。この毛導入溝１３の下側に隣接する状態で清掃具を配置し、さらにその下側にきわぞり刃ユニット１４を配置してある。きわぞり刃ユニット１４は、切換ノブ１５を上方スライドすることにより、かみそり本体１に沿う待機位置から、後ろ向きに突出する使用位置へ跳ね上がり揺動できる。
【００２４】
図５において清掃具は、ロール状のブラシ２０と、ブラシを回転自在に軸支するブラシ支持具２１と、清掃時の毛屑等の飛散を防ぐカバー２２と、後述するロック具２３（図１参照）およびブラシ支持具２１を軸支する支軸２４などで構成する。
【００２５】
図５においてブラシ２０は、ねじり合わされた複数の芯線２５の間にブラシ毛の一群を挟時固定して円柱状に形成してある。ブラシ支持具２１は門形の枠体からなり、一対の腕部の先端寄りにおいて、芯線２５の両端を軸支している。カバー２２は、断面半円形の樋状の主壁２６と、主壁２６の両端に張り出した側壁２７とを一体に形成したプラスチック成形品からなり、ブラシ支持具２１でブラシ２０の回りに回動できるよう支持する。具体的には、両側壁２７に設けた穴を先の芯線２５を利用して軸支する。
【００２６】
支軸２４はかみそり本体１に固定した門形の金属線材からなり、内刃３の回転中心軸と平行な軸部２４ａで、ブラシ支持具２１の腕部の基端側を上下に反転揺動自在に支持している。ブラシ支持具２１を上下揺動することによって、ブラシ２０は内刃３の回転中心軸と平行な姿勢を維持した状態のままで、内刃３の周面に接触する図１の清掃位置と、かみそり本体１の外面に待機格納される図６の待機位置とに変位できる。
【００２７】
清掃位置におけるブラシ２０は、その周面が内刃３と接触して毛先が弾性変形している。この状態で、スイッチノブ１１をオン操作して内刃３を回転駆動すると、ブラシ２０は図１に矢印で示すように内刃３と逆向きに連れ回り回転して、刃面に付着した毛屑や皮脂等を除去する。このとき、ブラシ２０で跳ね飛ばされた毛屑等が周辺に飛び散るのを防ぐために、内刃３およびブラシ２０の外面をカバー２２で覆っている。また、ブラシ２０およびブラシ支持具２１が、内刃３の回転力を受けて内刃３から遠ざかる向きに押し戻されるのを防ぎ、併せてカバー２２をぐらつきなく固定保持するためにロック具２３が設けられている。
【００２８】
図１においてロック具２３は、内刃支持枠５の前面枠中央に突設した第１係合具３０と、カバー２２の開口縁に凹設した第２係合具３１とからなり、カバー２２の開口縁が第１係合具３０を乗り越えて、両係合具３０・３１が相対係合することにより、カバー２２およびブラシ支持具２１を清掃位置に位置保持できる。
【００２９】
ロック具２３による位置保持状態を解除して、カバー２２をかみそり後面へ回動し、さらにブラシ支持具２１を支軸２４まわりに下方揺動させることにより、、清掃具の全体を図６に示す待機位置へ変位できる。この状態では、ブラシ２０とブラシ支持具２１とが、カバー２２に覆われて保護されている。カバー２２を待機位置において位置保持するために、ロック具２３とは別のロック具を有する。このロック具は、カバー２２の周面下端に凹み形成した係合凹部３２と、この凹部３２に対応して、かみそり本体１側に突設した係合突起３３とからなる。
【００３０】
上記のように待機格納したカバー２２の上端は、外刃ホルダー２に設けた毛導入溝１３の下側に隣接している。そこで、図４に示すようにカバー２２の上端周面に沿って突起３４の一群を設けて、ひげそり時に突起３４で皮膚を毛導入溝１３から遠ざかる向きに伸び変形できるようにしている。このように皮膚を伸ばすことにより、長毛やくせ毛を横倒しにして、整然と外刃６へ導入し確実に切断できる。
【００３１】
内刃３は水洗いしながら清掃具でクリーニングすることができる。例えば図７に示すように、内刃３を回転駆動して、その刃面等に付着した毛屑をブラシ２０で除去するとき、流水を内刃３やブラシ２０の周辺に流し掛けることにより、ブラシ２０で掻き落とされた毛屑等を洗い流すことができる。このように、水洗いしながらクリーニングを行うと、刃面に付着した皮脂等を流水の衝突衝撃によって剥離除去できるうえ、ブラシ２０のブラシ毛の間に詰まった毛屑等を洗い流すこともでき、清掃具自体の清掃も同時に行えるので、手入れの手間を省くことができる。
【００３２】
主に水洗いによって内刃３のクリーニングを行う場合には、図８に示すようにカバー２２の主壁２６に導水穴４４の一群を通設しておき、これらの導水穴４４の外面側から流水を流し掛けながら、水洗い清掃を行うことができる。この場合には、清掃位置において内刃３の周面と対向する側の主壁部分に導水穴４４を設けることにより、水洗いしない通常のクリーニング状態において、毛屑等がブラシ２０の周囲に飛散するのを防止できる。
【００３３】
図９は本発明に係る清掃具の別実施例を示す。そこでは、カバー２２の一対の側壁２７・２７でブラシ２０を回転自在に軸支して、カバー２２がブラシ支持具２１を兼ねるようにした。この場合には、カバー２２の側壁２７・２７を支軸２４で相対回動可能に支持し、さらに支軸２４の基端軸部２４ｂをかみそり本体１で軸支して、支軸２４が上下揺動することによって、ブラシ２０を清掃位置と待機位置とに変位できるようにした。
【００３４】
外刃ホルダー２をかみそり本体１から取り外した状態でスイッチノブ１１をオン操作すると、剥き出しになった内刃３が回転駆動されて危険である。こうした事態を避けるために、図１０（ａ）に示すように、スイッチノブ１１でオン・オフされる主スイッチとは別に、外刃ホルダー２の着脱に連動してモータ７への給電路をオン・オフする安全スイッチ（安全確保手段）３６を設けておき、外刃ホルダー２を取り外した状態では、安全スイッチ３６がオフ状態に切り換わって、内刃３の駆動を阻止できるようにしたロータリ式電気かみそりがある。この種の電気かみそりに本発明の清掃具を適用する場合には、図１０（ｂ）に示すように、カバー２２が清掃位置へ変位して、内刃３およびブラシ２０の外面を完全に覆う状態になったとき、カバー２２の主壁２６に設けた切換具３８が安全スイッチ３６の受動片３７をばねに抗らって押し込むことにより、安全スイッチ３６をオン状態（安全確保状態）に保持することができる。
【００３５】
安全スイッチ３６とは別に、清掃用に常開型の解除スイッチ（安全確保手段）を上記の安全スイッチと並列に接続しておき、カバー２２やブラシ支持具２１が清掃位置へ変位したとき、解除スイッチがオン操作されるように構成してもよい。安全確保手段としては、スイッチノブ１１のオン側へのスライド動作を機械的に阻止するロック機構を含む。
【００３６】
カバー２２は省略することができる。この場合には、図１１に示すようにブラシ支持具２１に固定した左右一対のロック片３９と、内刃支持枠５の支持腕４に設けた係合凹部４０とでロック具２３を構成し、ブラシ２０を清掃位置において位置保持することができる。ロック片３９と係合凹部４０との摺動面には、凹凸係合する突起４１と凹部４２を設けておく。
【００３７】
多くの電気かみそりにおいては、外刃ホルダー２に保護キャップを装着して、不使用時の外刃６を保護できるようになっている。カバー２２を利用して外刃６を保護することにより、専用の保護キャップを省略できる。その場合には、図１２（ａ）に示すように外刃ホルダー２の肩部外面に、第２係合具３１に対応する第３係合具４５を設けて、カバー２２に設けた第２係合具３１を第３係合具４５と係合することにより、カバー２２で外刃６を保護できるようにする。この実施例における第２係合具３１はリブ状の突起で形成し、内刃支持枠５に設けた第１係合具３０も同様に突起で形成した（図１２（ｂ）参照）。なお、外刃ホルダー２にカバー２２を圧嵌係合した状態においては、ブラシ支持具２１の一対の腕部分は、外刃ホルダー２の周面で受け止め支持されている。つまり、カバー２２の揺動支点となる芯線２５の軸穴は、前後遊動不能に保持される。
【００３８】
図１３は清掃具の別の実施例を示す。そこでは、平板状の保持ケース４６をかみそり本体１で上下スライド自在に案内支持して、この保持ケース４６の上部内面に清掃具を組み込んだ。詳しくは、ブラシ支持具２１を保持ケース４６の内面に突設したブラケット４７で支軸２４を介して軸支した。さらに、支軸２４に外嵌装着した捻りコイル形のばね４８で、ブラシ支持具２１を反時計回転方向へ回動付勢した。図１３（ａ）に示す待機位置から、保持ケース４６を上方スライド操作して、図１３（ｂ）の清掃位置へ切り換え操作した状態において、ブラシ支持具２１をばね４８の付勢力に抗して傾動操作し、ブラシ２０を内刃３に外接させるために、かみそり本体１の外面上部にカム片４９を突設する。さらにカム片４９のカム面５０に接当して、ブラシ支持具２１を傾動操作する受動腕（受動体）５１が、ブラシ支持具２１と一体に設けてある。保持ケース４６の上記カバー部４６ａは、待機位置においてブラシ２０を保護するのに役立っており、さらに上方スライドした清掃位置においては、毛屑の飛散を抑止することにも役立っている。なお、保持ケース４６とかみそり本体１との間に、スライド節度機構を設けておくと、待機位置と清掃位置の各位置におて、保持ケース４６を確実に位置保持できる。また、カバー部４６ａは省略できるが、この場合には、待機位置においてブラシ支持具２１を垂直姿勢で受け止めるために、保持ケース４６にストッパーを設ける。
【００３９】
図１４は上記の保持ケース４６を利用した清掃具の別実施例を示す。そこでは、保持ケース４６を傾斜姿勢のままで上下スライドできるようにする。また、保持ケース４６の左右側壁に軸支した支軸２４でブラシ支持具２１を支持して、ブラシ支持具２１をばね４８で保持ケース４６から遠ざかる向きに回動付勢する。ブラシ支持具２１には先の受動腕に対応する接当片（受動体）５１が一体に設けてあり、この接当片５１をかみそり本体１の周壁で受け止めることにより、ブラシ支軸具２１を待機位置（図１４（ａ）の状態）に位置保持できるようにしている。保持ケース４６を上方スライド操作して清掃位置（図１４（ｂ）の状態）に切り換えると、接当片５１は、内刃支持枠５に設けたカム片４９に案内されて内刃３に近付く。その結果、ブラシ２０を内刃３に外接させることができる。
【００４０】
図１５に示すように、内刃３はかみそり本体１の前後面の一側に偏寄配置することがきる。こうした内刃配置形態を採る場合には、上記の保持ケース４６を下方の待機位置から上方の清掃位置へスライド操作するだけで、ブラシ２０を内刃３に外接させることができる。詳しくは、保持ケース４６の上部内面に配置したブラシ２０の芯線を、カバー部４６ａの左右側壁で回転自在に軸支して、保持ケース４６を清掃位置へスライド変位させた状態において、ブラシ２０の外郭線が内刃３の外郭線と重なるように設定する。この場合には、保持ケース４６がブラシ支持具２１を兼ねるうえ、ばね４８や受動体５１などを省略できるので、清掃具の構造を簡素化できる。
【図面の簡単な説明】
【図１】清掃具の動作を示す断面図である。
【図２】外刃ホルダーを外した状態のかみそり本体の正面図である。
【図３】かみそり本体の右側面図である。
【図４】かみそり本体の背面図である。
【図５】清掃具の分解斜視図である。
【図６】清掃具を待機格納した状態の断面図である。
【図７】水洗い清掃状態を示す側面図である。
【図８】カバーの別の実施例を示す斜視図である。
【図９】清掃具の別実施例を示す斜視図である。
【図１０】図１０（ａ）はモータと安全スイッチとの関係を示す説明図である。図１０（ｂ）は清掃具と安全スイッチとの関係を示す斜視図である。
【図１１】カバーを省略した清掃具用のロック具を示す側面図である。
【図１２】清掃具の別の実施例を示す断面図である。
【図１３】清掃具のさらに別の実施例を示す側面図である。
【図１４】清掃具のさらに別の実施例を示す断面図である。
【図１５】清掃具のさらに別の実施例を示す側面図である。
【符号の説明】
１  かみそり本体
２ 外刃ホルダー
３ 内刃
２０ ブラシ
２１ ブラシ支持具
２２ カバー
２４ 支軸
【図１】
0004179427.tif 000002
【図２】
0004179427.tif 000003
【図３】
0004179427.tif 000004
【図４】
0004179427.tif 000005
【図５】
0004179427.tif 000006
【図６】
0004179427.tif 000007
【図７】
0004179427.tif 000008
【図８】
0004179427.tif 000009
【図９】
0004179427.tif 000010
【図１０】
0004179427.tif 000011
【図１１】
0004179427.tif 000012
【図１２】
0004179427.tif 000013
【図１３】
0004179427.tif 000014
【図１４】
0004179427.tif 000015
【図１５】
0004179427.tif 000016